(57)【要約】【課題】挿入フラップの差し込み部分側に設ける舌片を確実に縦切り込みに係止させ、歪み代の少ない紙製包装容器を得る。【解決手段】舌片１４に、舌片形成用切り込み１３に連続して且つ差し込み部分８の差し込み方向に沿った横切り込み１５を入れて、舌片１４を横切り込み１５により分割した。【選択図】図２
2008280049.tif 000002
【特許請求の範囲】
【請求項１】
四方に側面板を有する紙製の包装容器であって、隣り合う側面板の内、一方の側面板にはこの一方の側面板の容器高さ方向に沿う縦切り込みが設けられているとともに、他方の側面板には、前記一方の側面板に折り重ねて前記縦切り込みに差し入れる挿入フラップが連接されていて、前記挿入フラップの差し込み部分に舌片形成用切り込みを入れて、前記縦切り込みに係止する舌片が設けられている紙製包装容器において、
前記舌片に、前記舌片形成用切り込みに連続して且つ差し込み部分の差し込み方向に沿った横切り込みを入れて、舌片を前記横切り込みにより分割したことを特徴とする紙製包装容器。
【請求項２】
上記横切り込みが上記差し込み部分の先端縁に達していて、差し込み部分が分割されている請求項１に記載の紙製包装容器。
【請求項３】
上記横切り込みにおける上記差し込み部分の先端縁側の横切り込み端部が、分割された上記舌片と差し込み部分の先端縁との間に位置して、前記横切り込み端部と前記差し込み部分の先端縁とを非連続としている請求項１に記載の紙製包装容器。
【請求項４】
上記舌片形成用切り込みの端部と上記上記差し込み部分の先端縁との間それぞれに折り罫が設けられている請求項１から３の何れか一項に記載の紙製包装容器。
【発明の詳細な説明】
【技術分野】
【０００１】
本発明は紙製包装容器、特に一枚のブランクを組み起こしてなる包装容器に関するものである。
【背景技術】
【０００２】
従来から紙製包装容器には一枚のブランクから製函できる形式のものが多くあり、底面板の四方の辺それぞれに連接した側面板を折り起こして収納空間の壁部としていて、隣り合う側面板にあっては、その一方の側面板の端部に連接した貼り付けフラップを他方の側面板の内面に貼り付けて、隣り合う側面板同士を連結したり、また、一方の側面板に切り込みを入れるとともに、他方の側面板の端部に挿入フラップを連接し、その挿入フラップを一方の側面板に折り重ねて前記切り込みに挿入フラップを差し入れることで、隣り合う側面板同士を連結することも行なわれていた。
そして、挿入フラップ全体を差し入れるのではなく、挿入フラップの差し入れ方向での先端側である差し込み部分を一方の側面板に折り重ねて、その側面板の切り込みに差し入れて連結するものの場合、切り込みに挿入フラップを差し入れても製函工程中や製函後に外れる可能性もあったことから、挿入フラップの抜け防止を目的とした工夫が提案されている。
【０００３】
図９は挿入フラップの抜け防止の手段を備えた紙製包装容器１を示していて、この紙製包装容器１を得るためのブランクは、図１０に示すように底面板２の四辺に折り罫を介して側面板３が連接され、さらに一つの側面板３にはこの側面板３の容器高さ方向での上端となる辺に折り罫を介して天面板４が連接され、この天面板４の残り三辺に折り罫を介して貼り合わせ側面板５が連接されている。
また、底面板２の短辺側に位置する側面板３の端部側には、それぞれ側面板３の高さ方向（容器高さ方向）に沿う縦切り込み６が入れられているとともに、側面板２の長辺側に位置する側面板３の両端部に折り罫を介して挿入フラップ７が連接されて、製函に際して側面板３それぞれが折り起こされるときに、縦切り込み６を備える側面板３の外面に前記挿入フラップ７が折り重ねられ、その挿入フラップ７の差し込み部分８（挿入フラップ７の幅方向で折り罫に対向する位置にある端部）が縦切り込み６に差し入れられるように図示しない製函機械のガイドに案内されるようにしている。
上記縦切り込み６の上端と下端とは側面板３の中央側に向けて折曲して延びた延長切り込み９が連続していて、挿入フラップ７がガイドにより案内されるときに差し込み部分８が差し込まれ易くなるようにしている。
そして、挿入フラップ７の差し込み部分８側に、製函に際して挿入フラップの外れを防止することを目的とした手段を備えていて、この例にあっては、差し込み部分８の容器高さ方向での上端となる側にフック状の係止爪１０が設けられており、差し込み部分８を縦切り込みに差し入れた後、天面板を折り倒す段階などの製函途中の工程で挿入フラップ７が抜け方向に外力が加わることがあっても、前記係止爪１０が縦切り込み６の上端部分やその上端部分に連続する延長切り込み９に係止して外れないようにしている（図１１参照）。
【０００４】
上記紙製包装容器１ではブランクで図示されているように天面板４には短辺それぞれに沿ってミシン目などからなる切断部１１が設けられているとともに、天面板４の長辺側に連接している貼り合わせ側面板５にも前記切取部１１に連続して折り罫との間でその貼り合わせ側面板５の一部分を囲む切取部１２が設けられている。
製函に際して天面板４は、折り起こした側面板３で形成される空間の上面を覆うようにして折り倒され、さらに天面板４の短辺側に位置する貼り合わせ側面板それぞれが、底面板２の短辺側にある側面板３の外面に重なるようにして折り倒され、糊付けして貼り付けられる。また、天面板４の長辺側にある前記貼り合わせ側面板５も底面板２の長辺側にある側面板３の外面に重なるようにして折り倒され、天面板４側の折り罫と前記切取部１２とで囲まれた部分を除いた箇所で糊付けして貼り付けられ、これによってブロック状の紙製包装容器１が得られる。
【０００５】
上記紙製包装容器１では挿入フラップ７の差し込み部分８にフック状の係止爪１０を設けているが、その他の例としては、図１３から図１５とに示すように上記挿入フラップ７の差し込み部分８側に、その挿入フラップ７での幅方向における前記差し込み部分８側とは反対側に向けて凸となる舌片形成用切り込み１３を入れて舌片１４を設けるようにしたものも提案されている（特許文献１参照）。
このタイプの包装容器でも上述したように、製函に際して側面板３それぞれが折り起こされるときに、縦切り込み６を備える側面板３の外面に挿入フラップ７を折り重ねながら、挿入フラップ７の差し込み部分８を製函機械のガイドによって縦切り込み６に差し入れられるように案内し、さらには前記舌片１４が縦切り込み６に対応したときに製函機械のロック押し具（図示せず）を外方から当接させるようにしてその舌片１４が位置する部分を押していて、容器内方側に押し出された舌片１４が縦切り込み６に係止するようにしている（図１５）。
【特許文献１】特開平０８−０９１３５８号公報
【発明の開示】
【発明が解決しようとする課題】
【０００６】
上記紙製包装容器では容器外面となって長辺側に位置する貼り合わせ側面板にある切取部を切断して折り罫とこの切取部とで囲まれていた部分を引き起こし、さらには天面板にある切取部も切断してこの切取部の間の部分も引き起こすことで容器が開封され、内部に収納されていた物品（例えば菓子など）を天面板側で開いた開口から取り出すことができるようにしたものである。
そして、このような物品を収納した紙製包装容器を製造する場合、底面板の四辺に連接した側面板それぞれを折り起こし、隣り合う側面板同士を上述のように連結して四方に側面板が立った収納部分を形成し、天面板の部分が立て起きた状態のまま物品を収納し、そのつぎに天面板を折り倒すとともに三方の貼り合わせ側面板を折り倒して貼り合わせるようにしている。
【０００７】
このように紙製包装容器の製造途中において側面板同士を連結した後、天面板を起こした状態にして物品を収納したり、装置間を搬送させたりする段階がある。しかしながら、このような段階があることで、上記フック状の係止爪を有した紙製包装容器ではつぎの問題が生じる。
この抜け防止手段を備えた紙製包装容器では、図１１に示すように、縦切り込み６に挿入フラップ７の差し込み部分８を差し込みし易くするために、差し込み部分８を適正に差し込んだときの係止爪１０の位置を、縦切り込み６の上端部分に係止爪１０がきつく噛み合う位置とはせずに、或る程度差し込み方向での前方側にこの係止爪１０が位置するように設定していて、縦切り込み６と係止爪１０との間に距離を確保して側面板に沿った方向に多少の余裕を持たせている。即ち、差し込み部分８を適正に差し込んだときの係止爪１０の位置を、縦切り込み６の上端部分に係止爪１０がきつく噛み合う位置とすると、差し込み部分８を縦切り込み６に機械挿入すること自体が困難になるからである。
【０００８】
しかしながら、係止爪と縦切り込みとの間で距離の余裕を持たせていることから、物品収納前の段階や収納段階などにおいて、前記余裕の分だけ挿入フラップが抜け方向に移動し、図１２に示すようにその挿入フラップが連接されている側面板が開く方向に傾斜してしまうという不都合が生じる。
このように側面板が開く方向に傾斜すると、側面板を折り起こして収納空間を形成した部分の歪み代が大きくなっていまい、側面板を折り起こして隣り合う側面板同士を連結した収納部分形成段階から次の物品充填機械に搬送する工程や、物品充填機械での充填工程、物品充填機械から天面板の折り倒しと貼り合わせ側面板の貼付をする封緘機械までの搬送をする工程、さらにはその封緘工程などで容器詰まりを起こし易く、歪んだ状態の収納部分の側面板に貼り合わせ側面板を貼るために貼り合わせ側面板の貼りズレも生じるという問題があった。
【０００９】
一方、挿入フラップの差し込み部分側に、その差し込み部分８側とは反対側に向けて凸となる舌片１４を設けるようにしたものでは、上述したように舌片をロック押し具で押して強制的に容器内方に押し込んで縦切り込み６に係止させているので、挿入フラップ７の差し込み部分８を適正に縦切り込み６に差し入れた状態において、縦切り込み６と舌片１４の基部（舌片形成用切り込みの端部位置）との間にほとんど余裕を持たせる必要がない。
そのため、側面板それぞれを折り起こして隣り合う側面板同士を連結した後は、その側面板の折り起こしによって形成された収納部分の全体形状に歪み代がきわめて少なく、収納部分形成段階から物品充填機械に搬送する工程、充填工程、封緘機械まで搬送する工程、封緘工程などにおいて上述したような問題を生じることは少なくなっている。
しかし、舌片をロック押し具で押してその舌片を縦切り込みに係止させるための条件（押しのタイミング、押し圧力、押し速度、押し込み量など）が厳しく、挿入フラップの差し込み部分を縦切り込みに案内するときの僅かなタイミングのズレなどがあると、ロック押し具が当接しても舌片が内面側に押し込まれなくなって縦切り込みに係止しないというミスが生じ易くなるという問題があった。
【００１０】
そこで本発明は上記事情に鑑み、挿入フラップの差し込み部分側に設ける舌片が確実に縦切り込みに係止させることを課題とし、挿入フラップに設けた舌片を縦切り込みに係止させることの上記利点を活かして歪み代の少ない紙製包装容器を得ることを目的とする。
【課題を解決するための手段】
【００１１】
本発明は上記課題を考慮してなされたもので、四方に側面板を有する紙製の包装容器であって、隣り合う側面板の内、一方の側面板にはこの一方の側面板の容器高さ方向に沿う縦切り込みが設けられているとともに、他方の側面板には、前記一方の側面板に折り重ねて前記縦切り込みに差し入れる挿入フラップが連接されていて、前記挿入フラップの差し込み部分に舌片形成用切り込みを入れて、前記縦切り込みに係止する舌片が設けられている紙製包装容器において、前記舌片に、前記舌片形成用切り込みに連続して且つ差し込み部分の差し込み方向に沿った横切り込みを入れて、舌片を前記横切り込みにより分割したことを特徴とする紙製包装容器を提供して、上記課題を解消するものである。
【００１２】
そして、本発明において、上記横切り込みが上記差し込み部分の先端縁に達していて、差し込み部分が分割されているものとすることが可能である。
また、本発明において、上記横切り込みにおける上記差し込み部分の先端縁側の横切り込み端部が、分割された上記舌片と差し込み部分の先端縁との間に位置して、前記横切り込み端部と前記差し込み部分の先端縁とを非連続としているものとすることが可能である。
また、本発明において、上記舌片形成用切り込みの端部と上記差し込み部分の先端縁との間それぞれに折り罫が設けられていることが良好である。
【発明の効果】
【００１３】
請求項１の発明によれば、舌片が横切り込みにより分割されているので、舌片の分割部分それぞれが撓み易くなって舌片全体としても撓み易くなり、よって上述したようにロック押し具で舌片が位置する部分を押したときに、舌片の分割部分それぞれが簡単に容器内方側に押し込まれて縦切り込みに係止するようになる。そのため、挿入フラップの差し込み部分を縦切り込みに差し入れて舌片を係止させた以降での収納部分全体の歪み代が小さくなる。
【００１４】
また、請求項２の発明によれば、差し込み部分が分割されているので、舌片の分割部分を含めた差し込み部分の分割部分それぞれが変形し易く、舌片の分割部分の曲がりの自由度がより一層高くなって、ロック押し具で押されたときにより縦切り込みにより確実に係止するようになる。
また、請求項３の発明によれば、舌片の分割部分が差し込み端部に支えられるので、製函時の機械との擦り合わせで舌片の分割部分それぞれが単独で捲れる変形をすることを防止できる。また、ロック押し具で押す力が分散されることなく舌片の分割部分それぞれに集中し易くなり、縦切り込みへの舌片の係止をより確実なものとすることができる。
また、請求項４の発明によれば、ロック押し具で舌片に対応する位置が押されたときに折り罫の部分で僅かな曲がりが生じ易くなり、舌片の分割部分それぞれの押し込みが容易になる。
【発明を実施するための最良の形態】
【００１５】
つぎに本発明を図１から図８に示す実施の形態に基づいて詳細に説明する。なお、図９から図１５に示す従来例と構成が重複する部分は同符号を付してその説明を省略する。
図１〜図５は本発明の第一の実施の例を示している。この第一の実施の例において挿入フラップ７の縦切り込み６への差し込み方向での先端側となる差し込み部分８に、その差し込み部分８側とは反対側に向けて凸となる舌片形成用切り込み１３が入れられていて、この舌片形成用切り込み１３によって差し込み部分８側とは反対側に向けて凸となる舌片１４が切り込み形成されているとともに、この舌片形成用切り込み１３の上下の切り込み端部１３ａが容器高さ方向に沿って延長されて直線状としている。
前記舌片形成用切り込み１３は、図４に示すように容器高さ方向に沿う縦部１３ｂの上下に差し込み部分８の先端縁８ａに向けて斜めとした傾斜部１３ｃが連続して〔状の形状に設けられ、その傾斜部１３ｃに前記上下の切り込み端部１３ａが連続している。そして、本実施の例において、舌片形成用切り込み１３の縦部１３ｂに連続し、差し込み部分８の差し込み方向に沿った横切り込み１５を入れて、舌片１４を横切り込み１５により上下（容器高さ方向）に二つに分割している。さらに、前記横切り込み１５が差し込み部分８の先端縁８ａに達していて、前記舌片１４も含めて差し込み部分８が、先端縁８ａの容器高さ方向の中央位置で上下に二つに分割されている。
さらに、舌片形成用切り込み１３の上下の切り込み端部１３ａの末端から差し込み部分８の先端縁８ａに亘って折り罫１６が入れられていて、後述するようにこの折り罫１６の位置から曲がりが生じ易いようにしている。
【００１６】
この例では上記横切り込み１５で舌片１４を分割して、舌片１４の上下の分割部分１４ａが互いの動きを規制し合うことがなく、また、差し込み部分８も横切り込み１５で中段位置で分割されていて、差し込み部分８の横切り込み１５の位置から上記折り罫１６までの上下の分割部分８ｂが互いの動きを規制し合うことがないように設けられている。
即ち、挿入フラップ７が縦切り込み６に案内されて、ロック押し具が舌片１４に対応する位置を押したときに、舌片１４の上側の分割部分１４ａと差し込み部分８の上側の分割部分８ｂとが一体となった状態で、同様に舌片１４の下側の分割部分１４ａと差し込み部分８の下側の分割部分８ｂとが一体となった状態で、横切り込み１５の部分が若干開くようにして前記上側の分割部分１４ａ、８ｂと前記下側の分割部分１４ａ、８ｂとが容器内方側に押し込まれるように曲がり、舌片１４の分割部分１４ａそれぞれが単独で容易に容器内方側に移動するように設けられている。
このように舌片１４の分割部分１４ａそれぞれが、この分割部分１４ａに連続する差し込み部分８の分割部分８ｂも伴なった状態で容器内方側に押し込まれることから、従来の分割していない舌片を押し込む場合に比べて容器内方への移動が容易になり、縦切り込み６に係止するようになる。そして、上記折り罫１６が舌片形成用切り込み１３の上下の切り込み端部１３ａに連続していることから、舌片側にロック押し具の押し圧が加わって分割部分１４ａ、８ｂが反り始めたときにこの折り罫１６の位置で曲がりを生じ易くしていて、舌片１４の分割部分１４ａの押し込みをより一層容易にしている。
【００１７】
このように舌片１４自体としては押し込みが容易にできるようになっているため、ロック押し具の押し位置が多少ずれたとしても、舌片１４の分割部分１４ａそれぞれが適正に容器内方側に移動して縦切り込み６に係止する。また、舌片１４が分割されているために何れか一方の分割部分１４ａが係止すればよく、舌片が縦切り込みに係止しないミスを大幅に少なくすることができる。
【００１８】
上記実施の例においては横切り込み１５を舌片形成用切り込み１３の縦部１３ａの中段位置に連続させるとともに、差し込み部分８の先端縁８ａまでに達しさせているが、本発明はこの実施の例に限定されるものではない。以下にその他の例として第二の例を図６から図８に基づいて示す。
この第二の例では横切り込み１５で舌片１４が上下に分割されている点については上記第一の例と同じである。そして、図７に示すように横切り込み１５の上記差し込み部分８の先端縁８ａ側の横切り込み端部１５ａが、分割された前記舌片１４と差し込み部分８の先端縁８ａとの間に位置しており、横切り込み端部１５ａと前記差し込み部分８の先端縁８ａとを非連続にしている。即ち、この第二の実施の例では、差し込み部分８の先端縁８ａの中央が上下二つには分割されているものではなく先端縁８ａに沿った箇所は容器高さ方向で連続している。
【００１９】
この構造とすることはつぎの利点がある。上記第一の実施の例の紙製包装容器１を製函するときに、前記挿入フラップ７を折り曲げながら縦切り込み６に案内する製函機械のガイドとして、挿入フラップ７の外面に対して容器高さ方向に擦りながらその挿入フラップ７を曲げ折るようにするものを採用することもある。そして、舌片１４の分割部分１４ａそれぞれが前記ガイドと擦り合ってめくれる可能性がわずからなら懸念される。そこで、この第二の実施の例では差し込み部分８を先端縁８ａの中央位置で上下に分断していないので、前記ガイドとの擦り合わせを行ないながら挿入フラップ７を縦切り込み６へ案内する製函装置を使用しているときに舌片１４の分割部分１４ａそれぞれが擦ったとしても、分割部分１４ａは、連続する差し込み部分８の中央部、即ち上記折り罫１６の間が基部となって支えられ、擦り合わせ程度ではめくれが生じないようになる。
【００２０】
また、この第二の実施の例において、上述したように舌片１４の分割部分１４ａそれぞれが、差し込み部分８の折り罫１６の間を基部１７として支えられた状態となっていることから、ロック押し具が当接した場合には、そのロック押し具から加えられる押し圧が、変形し難い基部１７に吸収されることなく舌片１４の分割部分１４ａそれぞれに集中して加わり、そして、図８に示すように分割部分１４ａ同士の間が横切り込み１５の位置で若干開き、分割部分１４ａの近傍部が折り罫１６の位置から曲がりや起きを生じて、分割部分１４ａそれぞれやその近傍部分に大きな抗力を生じことなく分割部分１４ａが適正に容器内方側に押し込まれて縦切り込み６に係止するようになる。
【００２１】
この第二の実施の例において、横切り込み端部１５ａから先端縁８ａまでの長さＡは、包装材料の厚さにもよるが、通常の菓子用紙容器として用いられる紙製包装容器であるならば、２〜４ｍｍ程度の範囲として、横切り込みの長さを前記Ａより長くするのが良好である。そして、前記長さＡが長い場合、横切り込みの長さと長さＡとの比が１：１となるように、長さＡの上限（最大値）を設定することが良好である。
【００２２】
これによって側面板３を折り起こして隣り合う側面板３同士を連結して形成された収納部分では、上述したように舌片１４が適正に縦切り込み６に係止して挿入フラップ７を有する側面板３が展開方向に開かないことから、歪みのない、また貼り合わせ側面板の貼りズレが生じない紙製包装容器が得られる。
【図面の簡単な説明】
【００２３】
【図１】本発明に係る紙製包装容器の第一の実施の例を封緘前の天面板立ち起き状態で示す説明図である。
【図２】第一の実施の例をブランクで示す説明図である。
【図３】第一の実施の例における挿入フラップの舌片と縦切り込みとの係止状態を示す説明図である。
【図４】第一の実施の例における挿入フラップの差し込み部分を示す説明図である。
【図５】第一の実施の例において舌片が容器内方側に押し込まれた時点を概略的に示す説明図である。
【図６】第二の実施の例における挿入フラップの舌片と縦切り込みとの係止状態を示す説明図である。
【図７】第二の実施の例における挿入フラップの差し込み部分を示す説明図である。
【図８】第二の実施の例において舌片が容器内方側に押し込まれた時点を概略的に示す説明図である。
【図９】挿入フラップにフック状の係止爪を備える従来の紙製包装容器の例を示す説明図である。
【図１０】図９に示す従来例をブランクで示す説明図である。
【図１１】図９に示す紙製包装容器における挿入フラップの係止爪と縦切り込みとの係止状態を示す説明図である。
【図１２】図９に示す紙製包装容器における収納部分が歪んだ状態を示す説明図である。
【図１３】挿入フラップに舌片を備える従来の紙製包装容器を示す説明図である。
【図１４】図１３に示す紙製包装容器のブランクを示す説明図である。
【図１５】挿入フラップに舌片を備える従来の紙製包装容器における挿入フラップの係止爪と縦切り込みとの係止状態を示す説明図である。
【符号の説明】
【００２４】
１…紙製包装容器
３…側面板
４…天面板
５…貼り合わせ側面板
６…縦切り込み
７…挿入フラップ
８…差し込み部分
８ａ…差し込み部分の先端縁
８ｂ…分割部分
１３…舌片形成用切り込み
１４…舌片
１４ａ…舌片の分割部分
１５…横切り込み
１５ａ…横切り込み端部
１６…折り罫
１７…基部
【図１】
2008280049.tif 000003
【図２】
2008280049.tif 000004
【図３】
2008280049.tif 000005
【図４】
2008280049.tif 000006
【図５】
2008280049.tif 000007
【図６】
2008280049.tif 000008
【図７】
2008280049.tif 000009
【図８】
2008280049.tif 000010
【図９】
2008280049.tif 000011
【図１０】
2008280049.tif 000012
【図１１】
2008280049.tif 000013
【図１２】
2008280049.tif 000014
【図１３】
2008280049.tif 000015
【図１４】
2008280049.tif 000016
【図１５】
2008280049.tif 000017